(57)【要約】【課題】塀などを形成する場合に、基礎ブロック等に支柱を、素人でも簡単且つ迅速に垂直に起立保持でき、また横風や振動等の影響を受けることがないよう、起立姿勢を安定化できるようにする。【解決手段】支柱６の外面に嵌合する縦樋状の支柱保持部２と、支柱保持部２の支柱６からの離脱を防止する係合片３と、水平板状のベース部５と、また支柱６の外面の孔８と嵌合して支柱保持部２を支柱６に嵌着させる嵌合用突起９とを備えて形成する。係合片３は、支柱保持部２の長手方向に沿った開口側端部から内側に夫々突き出させ支柱６の外面に係合するよう形成する。ベース部５は、支柱保持部２の下端から外側に水平に張り出させる。嵌合用突起９は、支柱保持部２の内側に突き出させる。【選択図】      図１
2005213962.tif 000002
【特許請求の範囲】
【請求項１】
支柱の外面に嵌合される縦樋状の支柱保持部と、この支柱保持部の長手方向に沿った開口側端部から内側に夫々突き出され支柱の外面に係合して支柱保持部の支柱からの離脱を防止する係合片と、支柱保持部の下端から外側に水平に張り出されている水平板状のベース部と、また支柱保持部の内側に突き出され支柱の外面の孔と嵌合して支柱保持部を支柱に嵌着させる嵌合用突起とを備えて形成されていることを特徴とする支柱固定用補助具。
【請求項２】
請求項１記載の支柱固定用補助具であって、係合片の横断面が三角形状に形成されていることを特徴とする支柱固定用補助具。
【請求項３】
請求項１又は２記載の支柱固定用補助具であって、支柱保持部が、その長手方向に沿った開口側端部から徐々に外側に傾斜状に開かれている一対の突出片を備えて形成されていることを特徴とする支柱固定用補助具。
【請求項４】
請求項１乃至３の何れかに記載の支柱固定用補助具であって、支柱保持部の下端に、支柱の外面の孔を側方から覗くための切欠窓が形成され、嵌合用突起がベース部の上面から切欠窓を介して支柱保持部の内側に対向状に一対突き出されていることを特徴とする支柱固定用補助具。
【発明の詳細な説明】
【技術分野】
【０００１】
本発明は、支柱固定用補助具に関し、更に詳しくは塀などを形成する場合に基礎ブロック等に支柱を、簡単且つ迅速に、垂直に起立保持できるよう形成した支柱固定用補助具に関するものである。
【背景技術】
【０００２】
従来この種の支柱固定用補助具としては、例えば特許文献１に記載のものが提案されている。即ち、この従来品は、基礎ブロックの両側面に挟み付ける一対の幅調整移動体と、基礎ブロックの上面に載せる台板に開口されたモルタル供給口と、このモルタル供給口のコーナー部に形成された横断面L字状の支柱当接部等を備えて形成されている。
【０００３】
この従来品を用いて支柱を基礎ブロックに垂直に固定する場合は、先ず作業者は、台板を基礎ブロックの上面に置き、幅調整移動体を基礎ブロックに挟み付けて台板を固定する。次に作業者は、モルタル供給口を介して支柱の下端を基礎ブロックの縦孔に上から挿入する。そして垂直に起立している支柱当接部に支柱を当接させ、支柱を輪ゴムや紐等でこの支柱当接部に固定する。その後、基礎ブロックの縦孔にモルタルを充填し、乾燥後、支柱から補助具を取り外すことにより、支柱を基礎ブロックに垂直に固定するものである。
【特許文献１】特開２００３−９７１００号公報
【０００４】
従来品は、上記のように先ず一対の幅調整移動体を操作して補助具を基礎ブロックに固定し、次に支柱を支柱当接部に片方の手で押し当てながら、他方の手で輪ゴム等を操作して固定する必要があった。従って従来品によると、支柱の固定作業に手間暇がかかり、また熟練を要し、簡単、迅速に支柱を垂直に固定することができなかった。また従来品の場合は、支柱を支柱当接部のＬ字形の二面に係合させ、輪ゴム等で止め付ける構造であったから、従来品によると支柱の起立姿勢が不安定で、横風や振動等の影響を受け易い、という問題点があった。
【発明の開示】
【発明が解決しようとする課題】
【０００５】
本発明は、このような従来品の問題点に鑑み、提案されたものである。
従って本発明の解決しようとする技術的課題は、塀などを形成する場合に、基礎ブロック等に支柱を、素人でも簡単且つ迅速に垂直に起立保持でき、また横風や振動等の影響を受けることなく起立姿勢を安定化できるよう形成した支柱固定用補助具を提供することにある。
【課題を解決するための手段】
【０００６】
本発明は、上記の課題を解決するために、次のような技術的手段を採る。
即ち、本発明の支柱固定用補助具１は、図１等に示されているように、支柱６の外面に嵌合される縦樋状の支柱保持部２と、この支柱保持部２の長手方向に沿った開口側端部から内側に夫々突き出され支柱６の外面に係合して支柱保持部２の支柱６からの離脱を防止する係合片３と、支柱保持部２の下端から外側に水平に張り出されている水平板状のベース部５と、また支柱保持部２の内側に突き出され支柱６の外面の孔８と嵌合して支柱保持部２を支柱６に嵌着させる嵌合用突起９とを備えて形成されていることを特徴とする（請求項１）。
【０００７】
本発明の支柱固定用補助具１は、例えば鉄、ステンレス鋼、アルミ合金等の金属材、或いは合成樹脂材で形成される。支柱保持部２は、折り曲げられたり、成形型で一体成形により形成される。ここで、縦樋状とは、横断面コの字形や、横断面凹湾曲形の短い状態を意味し、具体的には支柱６が横断面四角形のときは支柱保持部２は横断面コの字形に、支柱６が丸パイプのときは支柱保持部２は横断面Ω形や、半円形より大きい横断面凹湾曲形に形成されることで実現される。係合片３は、例えば樹脂材や金属材で形成される。またこの係合片３は、支柱保持部２の長手方向に沿った開口側端部の内側に接着されたり、或いは支柱保持部２と一体成形されることで実現される。嵌合用突起９は、支柱６を安定した状態で保持できるよう、支柱保持部２の例えば内面の反対位置に、断面半円形等に突き出されて一対形成されるのが好ましいが、これに限定されるものではない。
【０００８】
この場合本発明は、係合片３の横断面が三角形状に形成されているのが好ましい（請求項２）。
【０００９】
なぜならこれによると、支柱固定用補助具１を支柱６に嵌合させる際、支柱保持部２の開口側を支柱６に押し込むと、支柱６が係合片３の傾斜面に案内されて一対の対向片２ａを徐々に押し広げ、支柱固定用補助具１の嵌合操作を容易化できるからである。
【００１０】
また本発明は、支柱保持部２が、その長手方向に沿った開口側端部から徐々に外側に傾斜状に開かれている一対の突出片７を備えて形成されているのが好ましい（請求項３）。
【００１１】
なぜならこれによると、突出片７の内面を支柱６にあてがって支柱固定用補助具１を支柱６に嵌合させることができ、支柱固定用補助具１の嵌合操作を容易化できるからである。またこれによると、支柱固定用補助具１を支柱６から取り外す際に、一対の突出片７を外側に開かせて支柱固定用補助具１を支柱６から抜き取ることができ、支柱固定用補助具１の抜脱操作を容易化できるからである。
【００１２】
又本発明の場合は、支柱保持部２の下端に、支柱６の外面の孔８を側方から覗くための切欠窓４が形成され、嵌合用突起９がベース部５の上面から切欠窓４を介して支柱保持部２の内側に対向状に一対突き出されているのが好ましい（請求項４）。
【００１３】
なぜならこれによると、切欠窓４を介して支柱６の外面に形成されている孔８の位置を確認しながら、孔８に突起９を嵌合させることができ、この種の嵌合操作を容易化、迅速化できるからである。
【発明の効果】
【００１４】
本発明は、このように構成されているから、支柱に支柱保持部を容易に装着でき、基礎ブロック等に支柱を、垂直に且つ安定した状態で、また熟練を要することなく簡単、迅速に固定できる。従ってこれによれば、塀などの施工期間の短縮化、施工に係る労力の軽減化を図ることができる。
【発明を実施するための最良の形態】
【００１５】
以下、本発明の好適な一実施形態を、添付図面に従って説明する。
この実施形態に係る本発明の支柱固定用補助具１は、横断面コ字形の縦樋状に形成された支柱保持部２と、横断面四角形の中空状の支柱６から支柱保持部２が離脱することを防止するための係合片３と、水平板状のベース部５と、また支柱保持部２の外面に形成されている孔８と嵌合する嵌合用突起９とを備えて形成されている。支柱保持部２は、具体的には、鋼板が折り曲げ加工され、垂直状に延びている左右一対の対向片２ａと、これらを連結する連結片２ｂとで、丈の短い縦樋状に形成されている。
【００１６】
係合片３は、支柱保持部２の長手方向に沿った開口側端部である、対向片２ａの側端縁位置から内側に夫々突き出されている。この係合片３は、支柱６の外面に係合して支柱保持部２が支柱６から離脱することを防止するものである。本実施形態の場合、係合片３は、具体的には横断面直角三角形状の樹脂製棒状部材が対向片２ａの側端縁位置の上部の内側に固着されることにより形成されている。従ってこの実施形態では、支柱保持部２が支柱６の外面に嵌合されると、支柱６は一対の対向片２ａ、連結片２ｂ、及び係合片３で垂直に起立保持される。
【００１７】
また支柱保持部２は、その長手方向に沿った開口側端部から徐々に外側に傾斜状に開かれている一対の突出片７を備えて形成されている。この突出片７は、上記の開口側端部の上部に、平面視でハの字状に形成されている。
【００１８】
上記のベース部５は、支柱保持部２の下端としての左右一対の対向片２ａの下端から夫々外側に水平に張り出されている。このベース部５は、この実施形態では外側に向かって末広がりの台形状に、支柱保持部２と共に折り曲げられて形成されている。
【００１９】
また上記の突起９は、先端部が断面半円形に形成され、支柱保持部２の内側に、例えば３ｍｍ程度突き出されている。この実施形態では具体的には、支柱保持部２の下端としての、一対の対向片２ａの下端に、支柱６の外面の孔８を側方から覗くための切欠窓４が夫々形成されている。そして突起９の本体部は、両側のベース部５の上面に固着され、切欠窓４を介して支柱保持部２の内側に先端部が３ｍｍ程度突き出され、対向状に一対形成されている。本発明は、突起９が支柱６の外面の孔８に嵌合することにより、支柱６と支柱保持部２とが一体化し、支柱６の下降が防止される。
【００２０】
次に本発明品を使用して支柱６を基礎ブロック１１に垂直に固定する作業について説明する。
【００２１】
先ず作業者は、支柱６の所定高さ位置に支柱固定用補助具１を装着する。具体的には、支柱保持部２の長手方向に沿った開口側端部を支柱６に押し込む。すると支柱保持部２の一対の対向片２ａが開きつつ支柱６に被せられてゆく。そして作業者は、支柱保持部２または支柱６の何れかを上下にずらして支柱６の外面の孔８に嵌合用突起９を嵌合させ、支柱６と支柱固定用補助具１とを一体化させる。次に作業者は、この状態で支柱６の下端を、地面に積み上げられて構築された基礎ブロック１１の、上面に開口している支柱挿入孔１２に挿入し（図２参照）、ベース部５を基礎ブロック１１の水平な上面に載置する。この場合作業者は、一対のベース部５を基礎ブロック１１の幅方向に向けて配置する。これにより支柱６は、基礎ブロック１１上に配置された支柱固定用補助具１によって垂直に起立される（図１、図３参照）。
【００２２】
その後作業者は、基礎ブロック１１の支柱挿入孔１２にコンクリートを充填し、乾燥後、支柱固定用補助具１を支柱６から取り外す。本発明品を支柱６から取り外す場合は、先ず作業者は、一対の突出片７を押し広げ、一対の対向片２ａを外側に押し開き、突起９と孔８との嵌合状態を解く。次に作業者は、支柱保持部２を側方に引き、支柱６から本発明品を抜き取るものである。
【図面の簡単な説明】
【００２３】
【図１】本発明の支柱固定用補助具の好適な一実施形態を示す要部斜視図である。
【図２】同上補助具の使用例を説明するための分解斜視図である。
【図３】同上補助具の使用例を説明するための要部正面図である。
【図４】同上補助具の平面図である。
【図５】同上補助具の正面図である。
【図６】同上補助具の右側面図である。
【符号の説明】
【００２４】
１    支柱固定用補助具
２    支柱保持部
３    係合片
４    切欠窓
５    ベース部
６    支柱
７    突出片
８    孔
９    嵌合用突起
１１  基礎ブロック
１２  支柱挿入孔
【図１】
2005213962.tif 000003
【図２】
2005213962.tif 000004
【図３】
2005213962.tif 000005
【図４】
2005213962.tif 000006
【図５】
2005213962.tif 000007
【図６】
2005213962.tif 000008